(57)【要約】【課題】マスク本体に内側マスクを着脱自在に取り付けることができながら、内側マスクがマスク本体から容易には外れることがない衛生マスクを提供する。【解決手段】装着者の顔面に装着されるマスク本体１と、マスク本体１の左右の各端部１ａの内面側に基端部２ａをそれぞれ重ね合わせて固定する耳掛け２・２とを有する。装着者の顔面に装着した状態で、マスク本体１が前面の左右中央において前方に突曲する立体形状に造形される。各耳掛け２の基端よりもマスク本体１の左右方向の中央側へはみ出した状態で、各耳掛け２の基端部２ａの内面に固定される保形体３をそれぞれ設けてある。各保形体３は、耳掛け２よりも硬い素材で形成され、耳掛け２の基端部２ａの上下間にわたって延びている。各保形体３のはみ出し部分３ａとマスク本体１との間に、内側マスク７の左右の端部７ａをそれぞれ着脱自在に挟み込んで内側マスク７を装着する。【選択図】図１
2008054767.tif 000002
【特許請求の範囲】
【請求項１】
装着者の顔面の鼻口部を覆うように装着されるマスク本体（１）と、マスク本体（１）の左右の各端部（１ａ）の内面側に基端部（２ａ）をそれぞれ重ね合わせて固定する左右一対の耳掛け（２）・（２）とを有しており、
装着者の顔面に装着した状態で、マスク本体（１）が前面の左右中央において前方に突曲する立体形状に造形されている衛生マスクであって、
各耳掛け（２）の基端よりもマスク本体（１）の左右方向の中央側へはみ出した状態で、各耳掛け（２）の基端部（２ａ）の内面に固定される左右一対の保形体（３）・（３）をそれぞれ設けてあり、
各保形体（３）は、耳掛け（２）よりも硬い素材で形成されるとともに、耳掛け（２）の基端部（２ａ）の上下間にわたって縦長に延びるよう形成されており、
各保形体（３）のはみ出し部分（３ａ）とマスク本体（１）との間に、内側マスク（７）の左右の端部（７ａ）をそれぞれ着脱自在に挟み込んで内側マスク（７）を装着することを特徴とする衛生マスク。
【請求項２】
装着者の顔面の鼻口部を覆うように装着されるマスク本体（１）と、マスク本体（１）の左右の各端部（１ａ）の内面側に基端部（２ａ）をそれぞれ重ね合わせて固定する左右一対の耳掛け（２）・（２）とを有しており、
装着者の顔面に装着した状態で、マスク本体（１）が前面の左右中央において前方に突曲する立体形状に造形されている衛生マスクであって、
各耳掛け（２）は、マスク本体（１）の左右両端部（１ａ）との重ね合わせ固定部（１５）よりもマスク本体（１）の左右方向の中央側へはみ出すはみ出し部（１６）を設けてあり、
各耳掛け（２）のはみ出し部（１６）と、マスク本体（１）の左右の各端部（１ａ）との間に、内側マスク（７）の左右の各端部（７ａ）をそれぞれ着脱自在に挟み込んで内側マスク（７）を装着することを特徴とする衛生マスク。
【請求項３】
各保形体（３）のはみ出し部分（３ａ）の上下端部（３ｂ）・（３ｂ）が、マスク本体（１）の内面にそれぞれ固定される請求項１記載の衛生マスク。
【請求項４】
各耳掛け（２）のはみ出し部（１６）の上下端部が、マスク本体（１）の内面にそれぞれ固着される請求項２記載の衛生マスク。
【請求項５】
内側マスク（７）は、四角形状のシート材からなり、左右方向の中央で二つ折り用の折り目が形成されている請求項１又は２又は３又は４記載の衛生マスク。
【請求項６】
内側マスク（７）の左右方向の中央の外側には、内側マスク（７）の左半部（７ｂ）と右半部（７ｃ）とをつなぐ接合部（９）が上下間にわたって突曲状に形成されており、
装着者の顔面に内側マスク（７）およびマスク本体（１）を装着した状態で、内側マスク（７）が、前面の左右中央において前方に突曲する立体形状に造形される請求項１又は２又は３又は４記載の衛生マスク。
【請求項７】
内側マスク（７）が、機能性液剤を含浸したフィルタであるとともに、装着者の顔面側である内面に疎水性繊維を配した請求項１又は２又は３又は４又は５又は６記載の衛生マスク。
【請求項８】
マスク本体（１）は、左右方向の中央の外側に、マスク本体（１）の左半部（１ｂ）と右半部（１ｃ）とをつなぐ接合部（５）が上下間にわたって突曲状に形成されており、
マスク本体（１）の左半部（１ｂ）と右半部（１ｃ）とを構成するシート材を二枚重ねにした状態で、マスク本体（１）の左右方向の中央において左半部（１ｂ）と右半部（１ｃ）との接合部（５）を一体に接合することで、その接合部（５）がマスク本体（１）の前方外側へ上下間にわたって突出形成される請求項１又は２又は３又は４又は５又は６又は７記載の衛生マスク。
【発明の詳細な説明】
【技術分野】
【０００１】
本発明は、顔面の鼻口部を覆うように装着される衛生マスクに関するものである。
【背景技術】
【０００２】
特許文献１には、マスク本体の内面に内側マスクを固定した衛生マスクが開示されている。特許文献２には、マスク本体の内面に湿式フィルタを配した衛生マスクが開示されている。特許文献３には、マスク本体の内面にフィルタを着脱自在に取り付けた衛生マスクが開示されている。特許文献４には、マスク本体の内面に内側マスクを着脱自在に取り付けた衛生マスクが開示されている。
【０００３】
【特許文献１】特開２００４−４９３５６号公報（図１）
【特許文献２】特開２００４−１１３２９３号公報（図１）
【特許文献３】特開２００４−４１５０４号公報（図８）
【特許文献４】特開２００３−１９２１９号公報（図１−２）
【特許文献５】特開２００３−１１７０１２号公報（図５）
【特許文献６】特開平７−１９４７２２号公報（図１）
【発明の開示】
【発明が解決しようとする課題】
【０００４】
特許文献１の衛生マスクでは、内側マスクがマスク本体に熱溶着で固定しており、通常のマスクのようにマスク本体のみで使用することができないところに問題がある。特許文献２の衛生マスクでは、当て材を介装した湿式フィルタをマスク本体に当接させて取り付けてあり（引用文献２の段落０００６参照）、特許文献３の衛生マスクでは、マスク本体の内面にフィルタを接触させる程度で取り付けてあり（引用文献３の段落００１５参照）、これらの衛生マスクでは、フィルタがマスク本体から容易に外れるおそれがあるところに問題がある。
【０００５】
さらに、特許文献４の衛生マスクでも、マスク本体に内側マスクを重ねた程度で取り付けてあり（引用文献４の段落００１９参照）、やはり内側マスクがマスク本体から容易に外れるおそれがあるところに問題がある。
【０００６】
そこで本発明の目的は、マスク本体の内面に対して内側マスクを着脱自在に取り付けることができながら、内側マスクをマスク本体に取り付けたときには内側マスクがマスク本体から容易には外れることがない衛生マスクを提供することにある。
【課題を解決するための手段】
【０００７】
本発明が対象とする衛生マスクは、図１および図２に示すごとく、装着者の顔面の鼻口部を覆うように装着されるマスク本体１と、マスク本体１の左右の各端部１ａの内面側に基端部２ａをそれぞれ重ね合わせて固定する左右一対の耳掛け２・２とを有しており、装着者の顔面に装着した状態で、マスク本体１が前面の左右中央において前方に突曲する立体形状に造形されている。
【０００８】
本発明は、図１に示すように、各耳掛け２の基端よりもマスク本体１の左右方向の中央側へはみ出した状態で、各耳掛け２の基端部２ａの内面に固定される左右一対の保形体３・３をそれぞれ設けてあり、各保形体３は、耳掛け２よりも硬い素材で形成されるとともに、耳掛け２の基端部２ａの上下間にわたって縦長に延びるよう形成されており、各保形体３のはみ出し部分３ａとマスク本体１との間に、内側マスク７の左右の端部７ａをそれぞれ着脱自在に挟み込んで内側マスク７を装着することを特徴とする。
【０００９】
ここでの衛生マスクは、粉塵や花粉の捕集、細菌やウィルスの捕集、および咳やくしゃみに伴う唾などの飛来防止のために使用される。内側マスク７は、織布、不織布あるいは編布などの布帛を用いることができ、ガーゼや絹織物など素材的に保温性を有するものでも足る。
【００１０】
内側マスク７の機能としては、遠赤外線放射作用などを有する粉末などの付着による保温やマイナスイオン発生機能、銀イオンの付着による抗菌機能、活性炭や消臭剤などの付着による消臭機能、植物エキスや各種効能を有する薬剤の配合や付着による薬効機能、清涼剤の配合などによる清涼感機能、ミネラル水や還元電位水や電子磁場水などによる濾過作用の向上機能などが含まれる。
【００１１】
また、図７に示すように、各耳掛け２が、マスク本体１の左右両端部１ａとの重ね合わせ固定部１５よりもマスク本体１の左右方向の中央側へはみ出すはみ出し部１６を設けてあって、各耳掛け２のはみ出し部１６と、マスク本体１の左右の各端部１ａとの間に、内側マスク７の左右の各端部７ａをそれぞれ着脱自在に挟み込んで内側マスク７を装着してあってもよい。
【００１２】
先の各保形体３のはみ出し部分３ａは、図４および図５に示すように、上下端部３ｂ・３ｂがマスク本体１の内面にそれぞれ固定されると、内側マスク７の上下方向のずれ動きがより抑えられて、内側マスク７がよりしっかりとマスク本体１に保持される。
【００１３】
先の各耳掛け２のはみ出し部１６の上下端部が、マスク本体１の内面にそれぞれ固着されたときにも、内側マスク７の上下方向のずれ動きがより抑えられて、内側マスク７がよりしっかりとマスク本体１に保持される。
【００１４】
内側マスク７は、四角形状のシート材からなり、左右方向の中央で二つ折り用の折り目が形成されていると、立体形状のマスク本体１の内面と各保形体３のはみ出し部分３ａとの間や、マスク本体１の内面と各耳掛け２のはみ出し部１６との間への内側マスク７の左右の各端部７ａの挟み込み作業を容易に行うことができる。
【００１５】
内側マスク７の左右方向の中央の外側に、内側マスク７の左半部７ｂと右半部７ｃとをつなぐ接合部９を上下間にわたって突曲状に形成し、装着者の顔面に内側マスク７およびマスク本体１を装着した状態で、内側マスク７が、前面の左右中央において前方に突曲する立体形状に造形されると、マスク本体１と内側マスク７との間に隙間Ｇ（図１）が介在して、マスク本体１と内側マスク７とが擦れ合って口の動きの抵抗となることが低減される。
【００１６】
内側マスク７が、機能性液剤を含浸したフィルタであるとともに、装着者の顔面側である内面に疎水性繊維を配すると、衛生マスクに抗菌機能や消臭機能などの好ましい機能を付加することができる。そのうえで、疎水性繊維によって装着者の鼻や口から吹き出した息の湿気で内側マスク７の内側が濡れることが低減され、その濡れによって装着者に不快感を与えることが低減される。
【００１７】
マスク本体１を立体形状に造形するうえでは、マスク本体１は、左右方向の中央の外側に、マスク本体１の左半部１ｂと右半部１ｃとをつなぐ接合部５が上下間にわたって突曲状に形成されており、マスク本体１の左半部１ｂと右半部１ｃとを構成するシート材を二枚重ねにした状態で、マスク本体１の左右方向の中央において左半部１ｂと右半部１ｃとの接合部５を一体に接合することで、その接合部５がマスク本体１の前方外側へ上下間にわたって突出形成されることが好ましい。
【発明の効果】
【００１８】
本発明によれば、マスク本体１の内面と各保形体３のはみ出し部分３ａとの間、あるいはマスク本体１の内面と各耳掛け２のはみ出し部１６との間に内側マスク７の左右の各端部７ａが挟み込まれるので、マスク本体１の内面に対して内側マスク７を着脱自在に取り付けることができながら、内側マスク７をマスク本体１に取り付けたときには内側マスク７がマスク本体１から容易に外れることを低減できる。
【発明を実施するための最良の形態】
【００１９】
（実施例１）  図１ないし図３は、本発明が対象とする使い捨てタイプの衛生マスクの実施例１を示しており、図１および図２に示すように、装着者の顔面の鼻口部を覆うように装着されるマスク本体１と、マスク本体１の左右の各端部１ａに固定する左右一対の耳掛け２・２と、各耳掛け２の基端部２ａの内面に熱溶着で固定される左右一対の保形体３・３とを有している。
【００２０】
マスク本体１は、装着者の顔面に装着した状態で、前面の左右中央において前方（図１では上側）に突曲する立体形状に造形されている。すなわちマスク本体１は、熱可塑性の合成樹脂繊維からなる不織布シートを裁断して形成され、マスク本体１の左右対称形をなす左半部１ｂと右半部１ｃとを構成する不織布シートを二枚重ねにし、左右方向中央において左半部１ｂと右半部１ｃとの接合部５を一体に熱溶着し、その接合部５が前方外側へ上下間にわたって突出形成されたものとなっている。マスク本体１の接合部５は、シールすると同時に切断する溶断シールの手法などを用いて形成してもよい。
【００２１】
各耳掛け２は、熱可塑性の合成樹脂繊維からなる不織布シートを裁断して形成され、マスク本体１の左右の各端部１ａの内面側に各耳掛け２の基端部２ａをそれぞれ重ね合わせて熱溶着で固定されている。各耳掛け２における耳を通すための孔６は、型で抜き加工してもよいし、切目を入れておき、引き裂くことで形成されるようにしてもよい。
【００２２】
各保形体３は、耳掛け２よりも目が詰まっている不織布シートや、耳掛け２よりも厚い不織布シートなどの耳掛け２よりも硬い素材で形成されており、不織布シートとしては、熱可塑性の合成樹脂繊維を素材としている。各保形体３は、耳掛け２の基端部２ａの上下間にわたって縦長に延びるよう形成されており、各耳掛け２の基端よりもマスク本体１の左右方向の中央側へはみ出した状態で、各耳掛け２の基端部２ａの内面に熱溶着で固定されている。符号１０がその熱溶着された接続部を示す。各保形体３において、各耳掛け２の基端からはみ出したはみ出し部分３ａと、マスク本体１の内面との間に内側マスク７の左右の両端部７ａがそれぞれ着脱自在に挟み込まれる（図１の状態）。
【００２３】
内側マスク７は、マスク本体１と同じ要領で前面の左右方向の中央部が前方に向かって張り出すように突曲する立体形状に造形されている。すなわち内側マスク７は、熱可塑性の合成樹脂繊維からなる不織布シート（フィルタ）を裁断して形成されるが、内側マスク７の左右対称形をなす左半部７ｂと右半部７ｃとを構成する不織布シートを二枚重ねにし、左右方向の中央において左半部７ｂと右半部７ｃとの接合部９を一体に熱溶着し、その接合部９が前方外側へ上下間にわたって突出形成されたものとなっている。内側マスク７の接合部９は、前記マスク本体１の接合部５と同様に、溶断シールの手法などを用いて形成してもよい。
【００２４】
装着者の顔面に内側マスク７およびマスク本体１を装着した状態で、内側マスク７の接合部９が、マスク本体１の内面の左右方向の中央部に当接して、内側マスク７とマスク本体１との間に隙間Ｇ（図１）が形成される。この隙間Ｇの存在によって、マスク本体１と内側マスク７とが擦れ合って口の動きの抵抗となることが低減され、マスクを装着した状態で支障なく会話ができる。
【００２５】
内側マスク７に、抗菌機能や清涼感機能などを有する機能性液剤を含浸してもよく、また装着者の顔面側である内面に、ポリエステル繊維などからなる疎水性繊維を層状に配してもよい。マスク本体１および内側マスク７は、それぞれ顔面の鼻口部（外鼻と口部）を覆う大きさを有しているが、内側マスク７は、マスク本体１よりも大幅に上下幅寸法を小さくして、内側マスク７が顔面の外鼻とその左右部分にのみに密着し、鼻腔の前鼻孔および口部までは覆わない形態であってもよい。
【００２６】
前記構成の衛生マスクの使用において、内側マスク７を装着する場合には、図１および図３に示すように、各保形体３のはみ出し部分３ａとマスク本体１の内面との間に内側マスク７の左右の両端部７ａを挟み込む。この状態で、両耳掛け２・２を装着者の耳に掛けて常法通り装着すると、内側マスク７が外鼻の表面から口部にかけての顔面部分を先当たり状態で覆い、内側マスク７の外側がマスク本体１で覆われる。このとき、マスク本体１の左右側面部分は、各保形体３の存在によって、鼻口部の左右の顔面部分にフィットして内側マスク７を含む全体のズレ動きを規制する。
【００２７】
通常のマスクのようにマスク本体１のみで使用する場合には、各保形体３のはみ出し部分３ａとマスク本体１の内面との間から内側マスク７を取り外したのち、両耳掛け２・２を装着者の耳に掛けて装着者の顔面に装着することになる。
【００２８】
（実施例２）  図４ないし図６は、発明に係る衛生マスクの実施例２を示しており、実施例２では、各保形体３のはみ出し部分３ａの上下の端部３ｂ・３ｂが、マスク本体１の内面にそれぞれ熱溶着で固定される。符号１１がその熱溶着された接続部を示す。その他の点は、実施例１と同じであるので説明を省略する。
【００２９】
実施例２では、図６に示すように、内側マスク７の左右の両端部７ａが上下を閉じたポケット状の空間１２に納まるので、内側マスク７の上下方向のずれ動きがより抑えられて、内側マスク７がよりしっかりとマスク本体１に保持される。
【００３０】
（実施例３）  図７は、発明に係る衛生マスクの実施例３を示しており、実施例３では、実施例１の保形体３を省略している。実施例３の各耳掛け２は、マスク本体１の左右の両端部１ａと重ね合わせて熱溶着（固定）した固定部１５よりもマスク本体１の左右方向の中央側（図７では上側）へはみ出すはみ出し部１６を設けてある。その他の点は、実施例１と同じであるので説明を省略する。
【００３１】
実施例３では、各耳掛け２のはみ出し部１６と、マスク本体１の左右の両端部１ａとの間に、内側マスク７の左右の各端部７ａをそれぞれ着脱自在に挟み込んで内側マスク７をマスク本体１に装着する（図７の状態）。実施例３では、保形体３を省略した分だけ衛生マスクの組み立てに必要な部品が少なくなる。
【００３２】
実施例３においても、実施例２と同様に各耳掛け２のはみ出し部１６の上下の端部をマスク本体１の内面にそれぞれ熱溶着で固定してもよい。この場合にも、内側マスク７の上下方向のずれ動きがより抑えられて、内側マスク７がよりしっかりとマスク本体１に保持される。
【００３３】
内側マスク７は、図８に示すように、四角形状の平板シート材で形成されていてもよい。この場合、装着者の顔面に内側マスク７およびマスク本体１を装着した状態で、内側マスク７が、前面の左右中央において前方に円弧状に突曲する立体形状に造形される。
【００３４】
また、内側マスク７は、図８の四角形状の平板シート材において、左右方向の中央で二つ折り用の折り目を形成してもよい。内側マスク７を二つ折りにしてあると、立体形状のマスク本体１の内面と各保形体３のはみ出し部分３ａとの間や、マスク本体１の内面と各耳掛け２のはみ出し部１６との間に対する内側マスク７の左右の各端部７ａの挟み込み作業を容易に行うことができる。
【００３５】
内側マスク７は、図９に示すように、吸水性繊維などからなる吸水性層１９と、ポリエステル繊維などからなる疎水性層２０とを重ねて形成してもよい。この場合、装着者の顔面側に疎水性層２０が配されることになる。これにより、装着者の鼻や口から吹き出した息の湿気で内側マスク７の内側が濡れることが低減され、その濡れによって装着者に不快感を与えることが低減される。吸水性層１９を有することで、前述の機能性液剤を確実に含浸させて保持することができる。
【００３６】
内側マスク７は、図１０に示すように、吸水性層１９の外側および内側にそれぞれ疎水性層２０を重ねた三重構造に形成してもよい。この場合、吸水性層１９に含浸させた機能性液剤がマスク本体１に付着することが低減される。
【００３７】
マスク本体１や耳掛け２や保形体３は、紙製などであってもよい。
【図面の簡単な説明】
【００３８】
【図１】本発明の実施例１に係る衛生マスクの横断平面図である。
【図２】実施例１の衛生マスクの側面図である。
【図３】実施例１の衛生マスクを後ろ側から見た図である。
【図４】実施例２の衛生マスクを後ろ側から見た図である。
【図５】実施例２の衛生マスクの側面図である。
【図６】図５のＡ−Ａ線断面図である。
【図７】実施例３の衛生マスクの要部を示す横断平面図である。
【図８】内側マスクの別の実施例を示す横断平面図である。
【図９】内側マスクの他の実施例を示す断面図である。
【図１０】内側マスクのさらに他の実施例を示す断面図である。
【符号の説明】
【００３９】
１  マスク本体
１ａ  左右端部
１ｂ  左半部
１ｃ  右半部
２  耳掛け
２ａ  基端部
３  保形体
３ａ  はみ出し部
３ｂ  上下端部
５  マスク本体の接合部
７  内側マスク
７ａ  左右端部
７ｂ  左半部
７ｃ  右半部
９  内側マスクの接合部
１５  固定部
１６  はみ出し部
１９  吸水性層
２０  疎水性層
【図１】
2008054767.tif 000003
【図２】
2008054767.tif 000004
【図３】
2008054767.tif 000005
【図４】
2008054767.tif 000006
【図５】
2008054767.tif 000007
【図６】
2008054767.tif 000008
【図７】
2008054767.tif 000009
【図８】
2008054767.tif 000010
【図９】
2008054767.tif 000011
【図１０】
2008054767.tif 000012